(57)【要約】【課題】  絶縁物内に空気を溜める空洞を設け空気絶縁を併用する絶縁構造の実現。【解決手段】丸棒状の絶縁体１の外周２から絶縁体１を水平方向に横断して貫通する水平貫通空洞３，５と絶縁体１を垂直方向に横断して貫通する垂直貫通空洞４，６が隔壁７，８，９を隔て交互に設けられている絶縁体１に於いて、水平貫通空洞３は隣接の垂直貫通空洞４と隔壁７を隔て互に９０度ずれて位置し、又、垂直貫通空洞４は隣接の水平貫通空洞５と隔壁８を隔て互に９０度ずれて位置し、又、水平貫通空洞５は隣接の垂直貫通空洞６と隔壁９を隔て互に９０度ずれて位置する絶縁体１の左右の端末面１０，１１が平面１２，１３である絶縁体１からなる絶縁構造を特徴とする。【選択図】図１
2013191525.tif 000002
【特許請求の範囲】
【請求項１】
丸棒状の絶縁体１の外周２から絶縁体１を水平方向に横断して貫通する水平貫通空洞３，５と絶縁体１を垂直方向に横断して貫通する垂直貫通空洞４，６が隔壁７，８，９を隔て交互に設けられている絶縁体１に於いて、水平貫通空洞３は隣接の垂直貫通空洞４と隔壁７を隔て互に９０度ずれて位置し、又、垂直貫通空洞４は隣接の水平貫通空洞５と隔壁８を隔て互に９０度ずれて位置し、又、水平貫通空洞５は隣接の垂直貫通空洞６と隔壁９を隔て互に９０度ずれて位置する絶縁体１の左右の端末面１０，１１が平面１２，１３である絶縁体１からなる絶縁構造。
【請求項２】
請求項１に記載の絶縁構造の請求に於いて、平面１２，１３の代りに、欠円形はめあい凹部１４，１５を設けた絶縁構造
【請求項３】
請求項１に記載の絶縁構造の請求に於いて、平面１２，１３の代りに、角形はめあい凹部１６，１７を設けた絶縁構造
【発明の詳細な説明】
【技術分野】
【０００１】本発明は絶縁物の内部に空気を溜める空洞を特別に設け、空洞内の空気による空気絶縁を併せて利用し、絶縁能力の向上を計ることを目的とするものである。
【背景技術】
【０００２】高周波絶縁に於いては高い対電圧特性が要求される。対電圧特性等に優れたフッソ系材料は価格も非常に高く、種類が極めて少なく、結果として高価な材料を高周波絶縁に使用する方法以外に選択肢がないのが現状である。
【発明の開示】
【発明が解決しようとする課題】
【０００３】上述したような対電圧特性に優れた高価な材料を使用せずに、低価格の絶縁材料により対電圧特性を向上させる絶縁構造の開発が要求されている。【０００４】本発明はこのような理由に基づいてなされたものであり、一般的な絶縁物絶縁に加えて絶縁物の内部に空気を溜める空洞を特別に設け、空洞内の空気による絶縁を併用した高周波絶縁構造を低価格で提供しようとするものである。【０００５】実験によれば、絶縁物に絶縁破壊及び沿面放電が生じたとき、絶縁物内部に設けた空洞内空気が沿面放電路を曲げる結果が得られている。
【課題を解決するための手段】
【０００６】上記の目的を達成する本発明の絶縁構造は、丸棒状の絶縁体の外周から絶縁体を水平方向に横断して貫通する水平貫通空洞と絶縁体を垂直方向に横断して貫通する垂直貫通空洞が隔壁を隔て交互に設けられている絶縁体に於いて、水平貫通空洞は隣接の垂直貫通空洞と隔壁を隔て互に９０度ずれて位置し、又、垂直貫通空洞は隣接の水平貫通空洞と隔壁を隔て互に９０度ずれて位置し、又、水平貫通空洞は隣接の垂直貫通空洞と隔壁を隔て互に９０度ずれて位置する絶縁体の左右の端末面が平面である絶縁体からなる絶縁構造を特徴とする。【０００７】一例として、前記の絶縁構造に於いて、平面の代りに、欠円形はめあい凹部を設けて絶縁構造を構成する実施例である。【０００８】他には、平面の代りに、角形はめあい凹部を設けて絶縁構造を構成する実施例である。
【発明の効果】
【０００９】上記の説明のように、本発明によれば、高価な絶縁材料に代えて低価格の絶縁材料を使用出来るため製品コストの大幅削減が可能となる。更に、絶縁体内部の空洞内に溜まる空気による空気絶縁により対電圧特性が高くなるなどの利点が本発明により得られる。
【発明を実施するための最良の形態】
【００１０】以下に、本発明の実施形態を図面に基づき詳細に説明する。【００１１】図１及び図２は本発明の第一の実施形態に関するものである。図１は絶縁構造の斜視図、図２は絶縁構造の正面図である。図３は本発明の第二の実施形態に関するものである。図４は第三の実施形態に関するものである。【００１２】図１及び図２に示すように、丸棒状の絶縁体１の外周２から絶縁体１を水平方向に横断して貫通する水平貫通空洞３，５と絶縁体１を垂直方向に横断して貫通する垂直貫通空洞４，６が隔壁７，８，９を隔て交互に設けられている絶縁体１に於いて、水平貫通空洞３は隣接の垂直貫通空洞４と隔壁７を隔て互に９０度ずれて位置し、又、垂直貫通空洞４は隣接の水平貫通空洞５と隔壁８を隔て互に９０度ずれて位置し、又、水平貫通空洞５は隣接の垂直貫通空洞６と隔壁９を隔て互に９０度ずれて位置する絶縁体１の左右の端末面１０，１１が平面１２，１３である絶縁体１からなる絶縁構造である。【００１３】図１及び図２に示すように、水平貫通空洞３，５と垂直貫通空洞４，６を互に９０度ずらした位置に交互に配置するために隔壁７，８，９を設ける。水平貫通空洞３，５と垂直貫通空洞４，６を互に９０度ずらした位置に交互に配置することにより絶縁体１の外周全面が常に２ケ所以上の空洞によって分断される。絶縁破壊による沿面放電路は空洞上を避けることが出来ない構造を構成する。水平貫通空洞３，５と垂直貫通空洞４，６の配置数は特に限定されない。【００１４】絶縁破壊試験によれば、絶縁破壊時の沿面放電路が垂直貫通空洞４，６の位置で空洞の内部方向に落ち込むように曲がる結果と空洞上部方向に上がって曲がる結果が得られている。両者共に顕著な曲り方を示している。沿面放電路は不定であるが、水平貫通空洞３，５の内部空気と垂直貫通空洞４，６の内部空気が沿面放電路に影響を与えている事実を示すものである。【００１５】図１及び図２に示すように、絶縁体１の左右の端末面１０，１１が平面１２，１３である絶縁体１を導体に連結する方法は平面１２，１３を利用する任意の連結方法による。それ以外の連結方法は特に限定されない。【００１６】図３は第二の実施形態に関するものであり、［００１２］に於ける平面１２，１３の代りに欠円形はめあい凹部１４，１５を使用する構成である。【００１７】図３に示す第二の実施形態に於いては、絶縁体１を回転軸にはめ合い連結し、回転時絶縁に使用する場合の連結方法を示す。【００１８】図４は第三の実施形態に関するものであり、［００１２］に於ける平面１２，１３の代りに角形はめあい凹部１６，１７を使用する構成であり、絶縁体１を回転軸にはめ合い連結し、回転時絶縁に使用する場合の連結方法を示す。
【実施例】
【００１９】以上に本発明の実施形態及び実施例を説明したが、本発明の範囲はこれに限定されない。絶縁体１を回転軸間絶縁に使用する場合に於いて、回転トルクに耐えるように絶縁体１の隔壁７，８，９に補強を設ける構成は本発明の構成要件を満たす。【００２０】実施例では、構造体の材質に就いて限定していない。合成樹脂、セラミックス等又、製作方法は樹脂成形、セラミックス成形、その他、更に、構造体として適当、且つ、任意の材質の使用を含め、大きさも本発明に限定されるものではなく、任意に選定し、使用することができる。
【産業上の利用可能性】
【００２１】本発明は半導体装置その他に於いて絶縁を必要とする産業分野で広く利用できる。
【図面の簡単な説明】
【００２２】
【図１】本発明の第一の実施形態に関する絶縁構造の斜視図である。
【図２】図１の絶縁構造の正面図である。
【図３】本発明の第二の実施形態に関する絶縁構造の斜視図である。
【図４】本発明の第三の実施形態に関する絶縁構造の斜視図である。
【符号の説明】
【００２３】１、          絶縁体
２            外周
３，５        水平貫通空洞
４，６        垂直貫通空洞
７，８，９    隔壁
１０，１１    端末面
１２，１３    平面
１４，１５    欠円形はめあい凹部
１６，１７    角形はめあい凹部
【図１】
2013191525.tif 000003
【図２】
2013191525.tif 000004
【図３】
2013191525.tif 000005
【図４】
2013191525.tif 000006